(57)【要約】【課題】  より合理的に構成された発音駆動装置を得ること。【解決手段】  装飾体２０と、音程調整用のスライダ部３１を備えた笛体３０と、笛体に空気を送る鞴４０と、装飾体を駆動する第１ソレノイド５０と、鞴を駆動する第２ソレノイド６０と、スライダ部を駆動する第３ソレノイド７０と、第１ソレノイド、第２ソレノイド、及び第３ソレノイドをそれぞれ所定のタイミングで通電する制御部６とを備え、第１ソレノイドと第２ソレノイドとを同時に通電するようにした構成の発音駆動装置である。また、かかる発音駆動装置を設けてなる時計であって、装飾体を外部から見える位置に配置するとともに、笛体、鞴、第２ソレノイド、及び第３ソレノイドを支持体に支持し、それらを外部から見えない位置に配置した。【選択図】図１
2009134176.tif 000002
【特許請求の範囲】
【請求項１】
装飾体と、音程調整用のスライダ部を備えた笛体と、前記笛体に空気を送る鞴と、前記装飾体を駆動する第１ソレノイドと、前記鞴を駆動する第２ソレノイドと、前記スライダ部を駆動する第３ソレノイドと、前記第１ソレノイド、前記第２ソレノイド、及び前記第３ソレノイドをそれぞれ所定のタイミングで通電する制御部とを備え、前記第１ソレノイドと前記第２ソレノイドとを同時に通電するようにしたことを特徴とする発音駆動装置。
【請求項２】
請求項１記載の発音駆動装置を設けてなる時計であって、前記装飾体を外部から見える位置に配置するとともに、前記笛体、前記鞴、前記第２ソレノイド、及び前記第３ソレノイドを支持体に支持し、それらを外部から見えない位置に配置したことを特徴とする時計。
【発明の詳細な説明】
【技術分野】
【０００１】
本発明は、装飾体を駆動するとともに笛体を鳴らす装置に関する。
【背景技術】
【０００２】
自動的に笛体を鳴らす装置としては、特許文献１に開示されているように、ソレノイドを用いたものが知られている。
【特許文献１】特許第３８９６９７７号公報
【発明の開示】
【発明が解決しようとする課題】
【０００３】
さて、本願発明者は、この種の装置について趣向を向上すべく、笛体による発音にあわせて装飾体を駆動させる構成について検討した。例えば、時計に装飾体と笛体を設け、笛体が発音すると同時に装飾体を駆動させるものである。装飾体は、笛体を操作するソレノイドにリンクさせれば、笛体による発音にあわせて駆動させることが可能である。但し、その場合は、装飾体と笛体を機械的に連結することになるため、それらのレイアウトが制限されてしまうという不都合がある。つまるところ、時計のような装置に設ける場合は、配置の自由度を確保することが非常に重要な課題となる。本発明は、かかる事情に鑑みてなされたものであり、その目的は、より合理的に構成された発音駆動装置を提供することである。
【課題を解決するための手段】
【０００４】
本願第１請求項に記載した発明は、装飾体と、音程調整用のスライダ部を備えた笛体と、前記笛体に空気を送る鞴と、前記装飾体を駆動する第１ソレノイドと、前記鞴を駆動する第２ソレノイドと、前記スライダ部を駆動する第３ソレノイドと、前記第１ソレノイド、前記第２ソレノイド、及び前記第３ソレノイドをそれぞれ所定のタイミングで通電する制御部とを備え、前記第１ソレノイドと前記第２ソレノイドとを同時に通電するようにした構成の発音駆動装置である。
【０００５】
本願第２請求項に記載した発明は、請求項１記載の発音駆動装置を設けてなる時計であって、前記装飾体を外部から見える位置に配置するとともに、前記笛体、前記鞴、前記第２ソレノイド、及び前記第３ソレノイドを支持体に支持し、それらを外部から見えない位置に配置した構成の時計である。
【発明の効果】
【０００６】
本発明によれば、より合理的に構成された発音駆動装置を得ることができる。
【発明を実施するための最良の形態】
【０００７】
以下に、本発明の実施例を図面に基づいて説明する。図１に示す時計１は、本例の発音駆動装置１０を設けてなる置時計である。この時計１は、台座２の上部に時刻表示部３を設けるとともに、その時刻表示部３をドーム状の透明カバー４にて覆ったものである。図例した時刻表示部３は、樹木を模した飾りの内部に指針を駆動するムーブメントを設けてなるものである。台座２の内部には、当該時計１の電源となる電池５が収納されている。
【０００８】
発音駆動装置１０は、装飾体２０と、音程調整用のスライダ部３１を備えた笛体３０と、笛体３０に空気を送る鞴４０と、装飾体を駆動する第１ソレノイド５０と、鞴４０を駆動する第２ソレノイド６０と、スライダ部３１を駆動する第３ソレノイド７０と、第１ソレノイド５０、第２ソレノイド６０、及び第３ソレノイド７０をそれぞれ所定のタイミングで通電する制御部６とを備えている。この制御部６は、台座２の内部に配置された回路基板であって、当該時計１を制御するものであり、第１ソレノイド５０と第２ソレノイド６０は、同時に通電される構成となっている。図２は、各ソレノイド５０，６０，７０の通電回路の構成を示している。正時になると、制御部６は、予め設定された所定のプログラムに基づいて、第１ソレノイド５０及び第２ソレノイド６０を通電する第１スイッチＳ１と、第３ソレノイド７０を通電する第２スイッチＳ２とをそれぞれ所定のタイミングでＯＮ／ＯＦＦする構成となっている。
【０００９】
装飾体２０は、小鳥を模した人形であり、時刻表示部３とともに台座２の上部に配置されている。すなわち、外部から見える位置に配置している。また、笛体３０、鞴４０、第２ソレノイド６０、及び第３ソレノイド７０は、支持体８０に支持し、台座２の内部に配置している。すなわち、外部から見えない位置に配置されている。
【００１０】
装飾体２０の駆動機構については、特に限定はしないが、本例の場合、図３に示すように、装飾体２０の基端部２１を枢支し、基端部２１から延出した槓杆部２２を第１ソレノイド５０が操作する構成となっている。槓杆部２２は、弾性部材２３によって一方に付勢されており、第１ソレノイド５０が通電されると、第１ソレノイド５０の可動鉄芯部５１に押されて他方に移動する。このとき弾性部材２３が圧縮されるので、通電が解除されると槓杆部２２はその弾性力にて元の位置に復帰する。すなわち、第１ソレノイド５０に対する通電のＯＮ／ＯＦＦに伴い、装飾体２０が基端部２１を中心に揺動する。尚、このような装飾体２０については、その揺動に連動して羽や嘴等の各部が駆動するように構成することも可能である。基端部２１、槓杆部２２、弾性部材２３、及び第１ソレノイド５０は、所定のケース２４の内部に収納されており、台座２に対しては、ケース２４を固定している。
【００１１】
図４に示すように、笛体３０は、所定のリード構造を備えた管状のものであり、スライダ部３１を移動することによりその管長が変化して、音程調整がなされる構成となっている。笛体３０の内部には、スライダ部３１を外部に向って付勢する弾性部材が収納されており、スライダ部３１は、笛体３０の一方の端部から突出しており、弾性部材を圧縮しつつ外部から押し込むように移動させる。スライダ部３１を押す力が解除されると、スライダ部３１は圧縮された弾性部材の弾性力にて元の位置に復帰する。
【００１２】
鞴４０は、笛体３０の他方の端部（空気を吹き込む側の端部）に装着されている。この鞴４０は、所定の弾性力を有するゴム製のものであって、内部に空気を取り込むノズル４１を備え、ノズル４１の先端を押すとノズル４１が塞がれつつ体積が変化して、笛体３０に空気を吹き込む構成となっている。ノズル４１の先端を押す力が解除されると、その弾性力にてノズル４１から空気を取り込むととに形状が復元する。尚、鞴４０の内部には、復元力を補完する弾性部材を設けてもよい。
【００１３】
第２ソレノイド６０は、その可動鉄芯部６１を鞴４０のノズル４１に対して移動する。第２ソレノイド６０が通電されると、ノズル４１が可動鉄芯部６１に押されて笛体３０に空気が吹き込まれ、笛体３０が鳴る。通電が解除されるとノズル４１を押す力も解除され、鞴４０が復元する。
【００１４】
また、第３ソレノイド７０は、その可動鉄芯部７１を笛体３０のスライダ部３１に連結されている。第３ソレノイド７０が通電されると、スライダ部３１が可動鉄芯部７１に押されて笛体３０の内部に押し込まれ、笛体３０の音程が変化する。通電が解除されると、スライダ部３１を押す力も解除され、スライダ部３１が元の位置に復帰する。笛体３０の音程は、変化前の状態に戻る。
【００１５】
支持体８０は、笛体３０を支持する支持部８１、第２ソレノイド６０を支持する支持部８２、第３ソレノイドを支持する支持部８３を備えたプレート状の部材である。支持体８０にて笛体３０及びこれを操作する各部材をユニット化することにより、製造及びメンテナンスの容易化を達成している。特に本例の場合、第２ソレノイド６０の可動鉄芯部６１と、第３ソレノイド７０の可動鉄芯部７１は、それらの移動方向が一直線上に並ぶように配置している。このような構成によると、第２ソレノイド６０及び第３ソレノイド７０の駆動に伴う各部材の機械的ストレスが低減されるという利点がある。
【００１６】
以上説明した本例の発音駆動装置１によると、笛体３０による発音にあわせて装飾体２０を駆動させることができ、且つその笛体３０の音程を適宜変化させることができる。例えば、第１ソレノイド５０及び第２ソレノイド６０を断続的に通電すれば、小鳥がピピピッとさえずりながら動く様子を醸し出すことができる。更に、第３ソレノイド７０を通電すれば、その小鳥の鳴き声が変化する。各ソレノイド５０，６０，７０を通電するタイミングは任意に設定することができるので、小鳥の動作も変化に富んだものとなる。
【００１７】
また、装飾体２０と鞴４０とを同時に駆動するもであれば、それらを共通のソレノイドにて駆動することも可能であるところ、本例では、あえてそのような構成を回避している。つまり、装飾体２０と鞴４０とをそれぞれ個別のソレノイドにて駆動することにより、機械的連結によってそれらのレイアウトが制限されてしまうという不都合を回避している。かかる構成は、時計に組み込む装置として、配置の自由度を向上するとともに組み付けを容易化するという点で極めて有効である。特に近年、時計のデザインや機能は益々多様化される傾向にあり、本例の構成は、稠密化及び複雑化する時計設計の現状に対処するものとして提案された次第である。尚、本例における各部の構成は、特許請求の範囲に記載した技術的範囲において適宜に設計変更が可能であり、図例説明したものに限定されないことは勿論である。
【産業上の利用可能性】
【００１８】
本発明の発音駆動装置は、時計を装飾する装置として好適に利用することが可能である。
【図面の簡単な説明】
【００１９】
【図１】本発明の実施例に係り、発音駆動装置を設けた時計を示す正面図である。
【図２】本発明の実施例に係り、通電回路の説明図である。
【図３】本発明の実施例に係り、装飾体及び第１ソレノイドを示す正面図である。
【図４】本発明の実施例に係り、（ａ）は笛体、鞴、第２ソレノイド、及び第３ソレノイドを示す上面図であり、（ｂ）はその正面図である。
【符号の説明】
【００２０】
１    時計
２    台座
３    時刻表示部
４    透明カバー
５    電池
６    制御部
１０    発音駆動装置
２０    装飾体
２１    基端部
２２    槓杆部
２３    弾性部材
２４    ケース
３０    笛体
３１    スライダ部
４０    鞴
５０    第１ソレノイド
５１    可動鉄芯部
６０    第２ソレノイド
６１    可動鉄芯部
７０    第３ソレノイド
７１    可動鉄芯部
８０    支持体
８１    支持部
８２    支持部
８３    支持部
【図１】
2009134176.tif 000003
【図２】
2009134176.tif 000004
【図３】
2009134176.tif 000005
【図４】
2009134176.tif 000006